(57)【要約】【解決手段】折り畳みコンテナーにおいて、先ず最初に、ロック装置Ｓを構成する操作部材Ｓ１に形成された取付短軸１１ｄを、一方の相対する側壁２の中央空間Ａ２に位置する板状部２ａに形成された軸受け部材２ｎに嵌合させることにより、操作部材を、一方の相対する側壁に取り付け、次いで、操作部材に形成されたカム用短軸１１ｂを、ロック装置を構成するロックバー部材Ｓ２のカム部２１に形成されたカム溝２１ａに挿入するように構成したものである。【効果】操作部材を下方に回動させた際に、操作部材に、一方の相対する側壁から離脱するような負荷が加わっても、後から取り付けられたロックバー部材により、一方の相対する側壁からの離脱方向の移動が抑制されて、一方の相対する側壁からの操作部材の離脱を防止することができる。【選択図】図９
2014084161.tif 000002
【特許請求の範囲】
【請求項１】
箱型に組み立てられた状態から、最初に、底部方向に倒される一方の相対する側壁と、該側壁に次いで、後から、底部方向に倒されるもう一方の相対する側壁とを有する折り畳みコンテナーにおいて、先ず最初に、ロック装置を構成する操作部材に形成された取付短軸を、一方の相対する側壁の中央空間に位置する板状部に形成された軸受け部材に嵌合させることにより、操作部材を、一方の相対する側壁に取り付け、次いで、操作部材に形成されたカム用短軸を、ロック装置を構成するロックバー部材のカム部に形成されたカム溝に挿入するように構成したことを特徴とする折り畳みコンテナー。
【請求項２】
操作部材が配設されている、一方の相対する側壁の中央空間に、カバー部材を取り付けたことを特徴とする請求項１に記載の折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結された長側壁と、同じく、底部の相対する短辺部に、ヒンジ部材を介して連結された短側壁とからなり、底部に対して略垂直に長側壁と短側壁を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック装置により、ロックされるように構成されている。
【０００３】
長側壁に配設されたロック装置の操作部材を、手前に回動させるとともに、操作部材の回動を、リンク機構等の適当な機構を介して、水平運動に変換することにより、棒状体を水平移動させて、棒状体の先端部を、短側壁に形成された係合部に挿入、或いは、係合部から排出させて、長側壁が、底部方向に倒れないように、互いに、ロックしたり、或いは、ロックを解除するようにした折り畳みコンテナーが、本出願人の先の出願である特許文献１に開示されている。
【０００４】
上述した従来の折り畳みコンテナーにおいては、長側壁に配設されるロック装置は、手前に回動される操作部材と、操作部材の両端部に配設されたカム溝が形成されたカム部材と、操作部材が手前に回動された後に、操作部材を元の状態に戻すバネ部材とから構成されている。また、カム部材のカム溝には、操作部材の操作により水平方向に往復動する一対のロックバーの従動短軸が、挿入されている。操作部材の操作により、ロックバーを水平方向に往復動させることにより、ロックバーの先端部を、短側壁に形成された係合凹部に係合させて、長側壁と短側壁とがロック状態となり、箱型に組み立てられた状態の長側壁が、底部方向に倒れないように構成されており、また、操作部材の操作により、ロックバーの先端部を、短側壁に形成された係合凹部から排出させて、長側壁と短側壁とのロック状態を解除し、長側壁が、底部方向に倒れ、箱型に組み立てられた折り畳みコンテナーを折り畳むように構成されている。
【０００５】
上述したような折り畳みコンテナーに、操作部材とロックバーとを取り付けるには、先ず最初に、一対のロックバーを長側壁に配置し、その後、操作部材に配設されたカム部のカム溝に、ロックバーの従動短軸を挿入するようにして、長側壁に、ロック部材を取り付ける。
【先行技術文献】
【特許文献】
【０００６】
【特許文献１】特開２０１０−２１５２３８号公報
【発明の概要】
【発明が解決しようとする課題】
【０００７】
上述した従来の折り畳みコンテナーにおいては、操作部材とロックバーとを取り付けるには、先ず最初に、一対のロックバーを長側壁に配置し、その後、操作部材に配設されたカム部のカム溝に、ロックバーの従動短軸を挿入するようにして、長側壁に、ロック装置を取り付ける。
【０００８】
上述したように、従来の折り畳みコンテナーにおいては、操作部材を、長側壁の外側から取り付けるように構成されているので、操作部材を下方に回動させた際に、操作部材が、長側壁から外れるという問題があった。
【０００９】
また、操作部材を下方に回動させた際に、操作部材に配設されたカム部のカム溝と、該カム溝に挿入されているロックバーの従動短軸との距離が離れて、操作部の回転力が、十分に、ロックバーに伝わらず、ロック解除作業の作業性が悪いという問題があった。
【００１０】
本発明の目的は、上述した従来の折り畳みコンテナーが有する課題を解決することにある。
【課題を解決するための手段】
【００１１】
本発明は、上述した目的を達成するために、箱型に組み立てられた状態から、最初に、底部方向に倒される一方の相対する側壁と、該側壁に次いで、後から、底部方向に倒されるもう一方の相対する側壁とを有する折り畳みコンテナーにおいて、第１には、先ず最初に、ロック装置を構成する操作部材に形成された取付短軸を、一方の相対する側壁の中央空間に位置する板状部に形成された軸受け部材に嵌合させることにより、操作部材を、一方の相対する側壁に取り付け、次いで、操作部材に形成されたカム用短軸を、ロック装置を構成するロックバー部材のカム部に形成されたカム溝に挿入するように構成したものであり、第２には、操作部材が配設されている、一方の相対する側壁の中央空間に、カバー部材を取り付けたものである。
【発明の効果】
【００１２】
本発明は、箱型に組み立てられた状態から、最初に、底部方向に倒される一方の相対する側壁と、該側壁に次いで、後から、底部方向に倒されるもう一方の相対する側壁とを有する折り畳みコンテナーにおいて、第１には、先ず最初に、ロック装置を構成する操作部材に形成された取付短軸を、一方の相対する側壁の中央空間に位置する板状部に形成された軸受け部材に嵌合させることにより、操作部材を、一方の相対する側壁に取り付け、次いで、操作部材に形成されたカム用短軸を、ロック装置を構成するロックバー部材のカム部に形成されたカム溝に挿入するように構成したので、操作部材を下方に回動させた際に、操作部材に、一方の相対する側壁から離脱するような負荷が加わっても、後から取り付けられたロックバー部材により、一方の相対する側壁からの離脱方向の移動が抑制されて、一方の相対する側壁からの操作部材の離脱を防止することができる。
【００１３】
操作部材が配設されている、一方の相対する側壁の中央空間に、カバー部材を取り付けたので、操作部材を構成する操作本体を下方に回動させた際に、操作部材が、一方の相対する側壁の中央空間から排出するようなことを、確実に防止することができる。
【図面の簡単な説明】
【００１４】
【図１】図１は、本発明の折り畳みコンテナーが箱型に組み立てられた状態の斜視図である。
【図２】図２は、本発明の折り畳みコンテナーを構成する短側壁の部分拡大斜視図である。
【図３】図３は、本発明の折り畳みコンテナーを構成する長側壁の斜視図である。
【図４】図４は、本発明の折り畳みコンテナーを構成する長側壁の部分拡大斜視図である。
【図５】図５は、本発明の折り畳みコンテナーを構成するロック装置の分解斜視図である。
【図６】図６は、本発明の折り畳みコンテナーを構成するロック装置の操作部材の斜視図である。
【図７】図７は、本発明の折り畳みコンテナーを構成するロック装置のロックバー部材の斜視図である。
【図８】図８は、本発明の折り畳みコンテナーを構成するロック装置の操作部材が長側壁に取り付けられた状態の部分拡大斜視図である。
【図９】図９は、本発明の折り畳みコンテナーを構成するロック装置が長側壁に取り付けられた状態の部分拡大斜視図である。
【図１０】図１０は、同じく、本発明の折り畳みコンテナーを構成するロック装置が長側壁に取り付けられた状態の部分拡大斜視図である。
【図１１】図１１は、本発明の折り畳みコンテナーを構成するカバー部材の斜視図である。
【図１２】図１２は、同じく、本発明の折り畳みコンテナーを構成するカバー部材の斜視図である。
【図１３】図１３は、本発明の折り畳みコンテナーのロック装置が配設された状態の部分拡大斜視図である。
【図１４】図１４は、本発明の折り畳みコンテナーの長側壁にカバー部材が取り付けられた状態の部分拡大斜視図である。
【実施例】
【００１５】
以下に、本発明の実施例について説明するが、本発明の趣旨を越えない限り、何ら、本実施例に限定されるものではない。
【００１６】
本発明の折り畳みコンテナーは、図１に示されているように、底部１と、底部１の相対する長辺側土手部１ａにヒンジ連結された長側壁２と、底部１の相対する短辺側土手部１ｂにヒンジ連結された短側壁３とから構成されており、本実施例においては、長辺側土手部１ａの高さは、短辺側土手部１ｂの高さより低く形成されている。
【００１７】
図１に示されている箱型に組み立てられた状態から、先ず最初に、長側壁２を、底部１に重なるように倒し、次いで、短側壁３を、底部１に重ねられた長側壁２に重なるように倒すことにより、公知のように、折り畳みコンテナーを、高さの低いコンパクトに折り畳むことができるように構成されている。このようにして折り畳まれた状態から、短側壁３を、略垂直に立て、次いで、長側壁２を略垂直に立てることにより、図１に示されているように、箱型に組み立てることができるように構成されている。
【００１８】
上述した特許文献１に記載の折り畳みコンテナーのように、短側壁３には、短側壁３の板状部３ａの上端には、上端水平リブ３ｂが形成されているとともに、板状部３ａに対して略垂直な縦長の係合部材３ｃが形成されている。また、係合部材３ｃには、上述した特許文献１に記載の折り畳みコンテナーのように、ロックバー部材の先端部が嵌合される係合凹部３ｄが形成されている。本願発明においても、短側壁３の構成については、上述した特許文献１に記載の折り畳みコンテナーと実質的に同じであるので、詳細な説明は省略する。
【００１９】
次に、図３を用いて、長側壁２の全体構成について説明する。
【００２０】
長側壁２の板状部２ａの外壁面（折り畳みコンテナーが箱型に組み立てられた際に、折り畳みコンテナーの外側に位置する面）２ａ１の上部には、長側壁２の上端２ｂ付近に位置する上部水平リブ２ｃが形成されているとともに、上部水平リブ２ｃの下方には、上部水平リブ２ｃと所定の間隔を置いて、中間部水平リブ２ｄが形成されている。上部水平リブ２ｃと中間部水平リブ２ｄとは、板状部２ａの垂直短辺に沿って形成された端部垂直リブ２ｅまで延在している。
【００２１】
中間部水平リブ２ｄの上面には、中間部水平リブ２ｄの中央部を挟んで、上部水平リブ２ｃまで達しない、相対する中央部垂直リブ２ｆが立設されている。中央部垂直リブ２ｆの上端からは、中間部水平リブ２ｄと平行に、端部垂直リブ２ｅまで延在する区画水平リブ２ｇが形成されている。上部水平リブ２ｃと区画水平リブ２ｇと端部垂直リブ２ｅとにより、後述するロック装置を構成するロックバー部材が挿入されるロックバー挿入空間Ａ１が形成されている。
【００２２】
また、上部水平リブ２ｃと、中間部水平リブ２ｄと、相対する中央部垂直リブ２ｆとにより、後述するロック装置の操作部材等が配置される中央空間Ａ２が形成されている。
【００２３】
更に、上部水平リブ２ｃと区画水平リブ２ｇとの間には、後述するロック装置を構成するロックバー部材が挿入される角筒状のガイド筒２ｈが、適当数、配設されているとともに、上述した特許文献１に記載の折り畳みコンテナーのように、端部垂直リブ２ｅには、ロックバー部材が挿入可能な透孔２ｅ１が穿設されている。
【００２４】
中央空間Ａ２内に位置する中間部水平リブ２ｄの上面には、所定の間隔を置いて、一対の当接部２ｉが形成されている。また、中間部水平リブ２ｄの上面の一対の当接部２ｉの中央部寄りには、一対のバネ部材乗り上げ片２ｊが形成されており、バネ部材乗り上げ片２ｊには、中間部水平リブ２ｄの先端から板状部２ａに向かって、上方に傾斜した傾斜端面２ｊ１が形成されている。更に、２ｋは、バネ部材乗り上げ片２ｊの中央に位置する板状部２ａに形成された一対のバネ部材規制突起である。更にまた、２ｍは、上部水平リブ２ｃの下面から垂下された、ロック装置のロックバー部材をガイドするガイド片である。
【００２５】
２ｎは、相対する中央部垂直リブ２ｆ付近に位置する板状部２ａに垂設された軸受け部材であり、軸受け部材２ｎは、軸受け部材２ｎに嵌合される軸受けを挟持する、互いに上下方向に配置された軸受け２ｎ１から形成されている。
【００２６】
次に、図５〜図７を用いて、操作部材Ｓ１と一対のロックバー部材Ｓ２とから構成されているロック装置Ｓについて説明する。
【００２７】
ロック装置Ｓを構成する操作部材Ｓ１は、操作本体１０と、操作本体１０に沿って、操作本体１０に連接された略角柱状のブロック部材１１とから形成されている。操作本体１０の上部には、操作部材Ｓ１を下方に回動させる際に、作業者の指が当接する上面傾斜面を有する操作部１０ａが形成されており、また、操作本体１０の下部には、バネ部材１０ｂが垂設されており、バネ部材１０ｂには、操作本体１０の下部の中央部から、互いに、離反方向に延在する一対のバネ部１０ｃが垂設されている。図６には、一対の下方に傾斜した平板状のバネ部１０ｃが、互いに、離反する方向に延在するように構成されているが、バネ部１０ｃが、互いに、接近する方向に延在するように構成することもできる。また、一対のバネ部１０ｃは、操作本体１０の下部の中央部から垂設された支持垂直片１０ｄの中間部から延設されている。
【００２８】
ブロック部材１１の操作本体１０に沿った一対の垂直側面１１ａには、垂直側面１１ａに垂直なカム用短軸１１ｂが突設されているとともに、ブロック部材１１の相対する垂直端面１１ｃには、垂直端面１１ｃに垂直な取付短軸１１ｄが突設されている。
【００２９】
ロック装置Ｓを構成するロックバー部材Ｓ２は、短側壁３の係合部材３ｃに形成されている係合凹部３ｄに、その先端部が挿入されるロックバー部２０と、ロックバー部２０の一方の端部に形成されたカム部２１とを有している。カム部２１には、上方から、ロックバー部２０方向に向かって、下方に傾斜したカム溝２１ａと、カム部２１の先端部に形成された略垂直なバネ板２１ｂとが形成されている。なお、２２は、ロックバー部２０とカム部２１との境界部に形成された、カム部２１からロックバー部２０に向かって下方に傾斜した境界傾斜部２２である。
【００３０】
ロック装置Ｓは、ブロック部材１１に形成されたカム用短軸１１ｂを、カム部２１に形成されたカム溝２１ａを嵌合することにより、操作部材Ｓ１とロックバー部材Ｓ２とが連結されるように構成されている。
【００３１】
ロック装置Ｓを、長側壁２に取り付ける際には、先ず最初に、操作部材Ｓ１のブロック部材１１の相対する垂直端面１１ｃに突設された取付短軸１１ｄを、長側壁２に形成された互いに上下方向に配置された軸受け２ｎ１に嵌合することにより、操作部材Ｓ１を、図８に示されているように、長側壁２に取り付ける。その後、長側壁２に形成された中央空間Ａ２側から、ロックバー部材Ｓ２のロックバー部２０を、ロックバー挿入空間Ａ１に挿入するとともに、央空間Ａ２内に位置するロック装置Ｓの操作部材Ｓ１に形成されたカム用短軸１１ｂを、図９に記載され示されているように、ロックバー部材Ｓ２のカム部２１に形成されたカム溝２１ａに嵌合することにより、ロック装置Ｓを、長側壁２に取り付けるように構成されている。
【００３２】
ロック装置Ｓが、長側壁２に取り付けられた際には、図９に示されているように、操作部材Ｓ１に形成されたカム用短軸１１ｂが、ロックバー部材Ｓ２のカム部２１に形成されたカム溝２１ａの上端部に位置し、また、操作本体１０の下部に垂設されたバネ部１０ｃが、長側壁２の中間部水平リブ２ｄに形成されたバネ部材乗り上げ片２ｊの傾斜端面２ｊ１の下端部に位置し、更に、操作本体１０の下部に垂設されたバネ部１０ｃの先端が、長側壁２の中間部水平リブ２ｄに形成された当接部２ｉに当接或いは近接して位置するように構成されている。更にまた、操作本体１０の支持垂直片１０ｄの下端部が、長側壁２の板状部２ａに形成された一対のバネ部材規制突起２ｋ間に位置するように構成されている。なお、必要に応じて、長側壁２の板状部２ａに形成された一対のバネ部材規制突起２ｋを省略することもできる。
【００３３】
ロック装置Ｓが、長側壁２に取り付けられた際には、特許文献１に開示されているように、ロックバー部材Ｓ２のロックバー部２０の先端部が、図２に示されている短側壁３の係合部材３ｃに形成された係合凹部３ｄに挿入され、長側壁２と短側壁３とがロック状態となり、長側壁２が、底部１方向に倒れないように構成されている。
【００３４】
長側壁２と短側壁３とのロック状態を解除するには、操作部材Ｓ１を構成する操作本体１０の操作部１０ａを、下方に回動させる。操作本体１０を、下方に回動させると、長側壁２と短側壁３とがロック状態において、ロックバー部材Ｓ２のカム部２１に形成されたカム溝２１ａの上端部に位置しているカム用短軸１１ｂが、下方に移動する。このカム溝２１ａの上端部に位置しているカム用短軸１１ｂが下方に移動することにより、一対のロックバー部材Ｓ２のロックバー部２０が、互いに接近する方向に移動し、短側壁３の係合部材３ｃに形成された係合凹部３ｄに挿入されているロックバー部２０の先端部が、係合凹部３ｄから排出されることになり、長側壁２と短側壁３とがロック状態が解除されたロック解除状態となり、長側壁２が、底部１方向に倒れるように構成されている。
【００３５】
また、操作部材Ｓ１を構成する操作本体１０の操作部１０ａを、下方に回動させた際には、一対のロックバー部材Ｓ２のロックバー部２０が、互いに接近する方向に移動し、図１０に示されているように、ロックバー部材Ｓ２のカム部２１に形成された一対のバネ板２１ｂが、長側壁２の中間部水平リブ２ｄに形成された当接部２ｉに当接し、一対のバネ板２１ｂが、互いに離反する方向に弾性変形されることになる。換言すれば、バネ板２１ｂが、操作部材Ｓ１から遠ざかる方向に弾性変形されることになる。このように、バネ板２１ｂを弾性変形させることにより、作業者が、操作部材Ｓ１を構成する操作本体１０の操作部１０ａから手を離した時点で、バネ板２１ｂの弾性復元力により、一対のロックバー部材Ｓ２のロックバー部２０が、確実に、且つ、迅速に、ロック状態方向に戻ることができる。
【００３６】
更に、操作部材Ｓ１を構成する操作本体１０の操作部１０ａを、下方に回動させた際には、操作部材Ｓ１に形成されたバネ部１０ｃが、長側壁２の中間部水平リブ２ｄに形成されたバネ部材乗り上げ片２ｊの傾斜端面２ｊ１の下端部から上端部に移動することにより、作業者が、操作部材Ｓ１を構成する操作本体１０の操作部１０ａから手を離した時点で、バネ部１０ｃの弾性復元力により、一対のロックバー部材Ｓ２のロックバー部２０が、より確実に、且つ、より迅速に、ロック状態方向に戻ることができる。
【００３７】
上述したように、ロック装置Ｓを、長側壁２に取り付ける際には、先ず最初に、操作部材Ｓ１を取り付け、その後、ロックバー部材Ｓ２を取り付けるように構成したので、操作部材Ｓ１を下方に回動させた際に、操作部材Ｓ１に、長側壁２から離脱するような負荷が加わっても、後から取り付けられたロックバー部材Ｓ２により、長側壁２からの離脱方向の移動が抑制されて、長側壁２からの操作部材Ｓ１の離脱を防止することができる。
【００３８】
次に、図１１〜図１４を用いて、カバー部材Ｃについて説明する。
【００３９】
カバー部材Ｃは、水平部ｃ１ａと、該水平板ｃ１ａの両端部に立設された相対する垂直板ｃ１ｂとからなる略Ｕ字状の前板部ｃ１を有しており、水平板ｃ１ａと相対する垂直板ｃ１ｂとにより、凹部ｃ２が形成されている。また、相対する垂直板ｃ１ｂの上端から、前板部ｃ１の裏面（カバー部材Ｃが、長側壁２に取り付けられた際に、長側壁２の板状部２ａ側に位置する面）ｃ１’に対して略垂直に延在する上端水平板部ｃ３が形成されており、上端水平板部ｃ３の上面の前板部ｃ１の裏面ｃ１’側には、適当数の上部係止突起ｃ３ａが形成されている。
【００４０】
また、前板部ｃ１の水平板ｃ１ａの下端からは、上端水平板部ｃ３と同様の下端水平板部ｃ４が形成されており、下端水平板部ｃ４の下面の前板部ｃ１の裏面ｃ１’側には、下部係止突起ｃ４ａが形成されている。なお、本実施例においては、下端水平板部ｃ４が、水平板ｃ１ａの両端部と中央部の３箇所に形成されている例が示されており、両端部に位置する水平板ｃ１ａの外側端部に、それぞれ、下部係止突起ｃ４ａが形成されており、また、中央部に位置する下端水平板部ｃ４の下面の前板部ｃ１の裏面ｃ１’側にも、下部係止突起ｃ４ａ（図示されていない。）が形成されている。
【００４１】
更に、垂直板ｃ１ｂの外側垂直端辺には、垂直板ｃ１ｂに略垂直な外側垂直板部ｃ５が、所定の間隙ｃ６を介して形成されているとともに、間隙ｃ６には、垂直板ｃ１ｂに面一な嵌合片ｃ７が形成されている。なお、ｃ８は、垂直板ｃ１ｂの内側垂直端辺に、垂直板ｃ１ｂに略垂直な内側垂直板部である。
【００４２】
上述した構成を有するカバー部材Ｃは、長側壁２に取り付けられたロック装置Ｓの操作部材Ｓ１が配置されている中央空間Ａ２に、操作部材Ｓ１が、凹部ｃ２内に位置するように嵌合されることになるが、操作部材Ｓ１が中央空間Ａ２に嵌合された際には、カバー部材Ｃの上端水平板部ｃ３に形成された上部係止突起ｃ３ａが、長側壁２の上部水平リブ２ｃに穿設された係止孔２ｃ１に係止されるように構成されているとともに、カバー部材Ｃの下端水平板部ｃ４の下面に形成された下部係止突起ｃ４ａが、図４に示されている、長側壁２の中間部水平リブ２ｄに穿設された係止孔２ｐに係止されるように構成されている。更に、カバー部材Ｃに形成された嵌合片ｃ７が、図１４に示されているように、上部水平リブ２ｃの下面から垂下されたガイド片２ｍと区画水平リブ２ｇとの間に嵌合されるように構成されている。
【００４３】
上述したようにして、カバー部材Ｃが、長側壁２に形成された中央空間Ａ２に取り付けられることになるが、このように構成することにより、操作部材Ｓ１を構成する操作本体１０を下方に回動させた際に、操作部材Ｓ１が、中央空間Ａ２から排出するようなことを、確実に防止することができる。
【符号の説明】
【００４４】
Ａ１・・・・・・・・・・・・・・・ロックバー挿入空間
Ａ２・・・・・・・・・・・・・・・中央空間
Ｃ・・・・・・・・・・・・・・・・カバー部材
Ｓ・・・・・・・・・・・・・・・・ロック装置
Ｓ１・・・・・・・・・・・・・・・操作部材
Ｓ２・・・・・・・・・・・・・・・ロックバー部材
１・・・・・・・・・・・・・・・・底部
２・・・・・・・・・・・・・・・・長側壁
３・・・・・・・・・・・・・・・・短側壁
【図１】
2014084161.tif 000003
【図２】
2014084161.tif 000004
【図３】
2014084161.tif 000005
【図４】
2014084161.tif 000006
【図５】
2014084161.tif 000007
【図６】
2014084161.tif 000008
【図７】
2014084161.tif 000009
【図８】
2014084161.tif 000010
【図９】
2014084161.tif 000011
【図１０】
2014084161.tif 000012
【図１１】
2014084161.tif 000013
【図１２】
2014084161.tif 000014
【図１３】
2014084161.tif 000015
【図１４】
2014084161.tif 000016